(57)【要約】【課題】水路用コンクリートブロックを、堤防に浸透した水を排出する目的で使用すると美観を損ねる。【解決手段】底面部２０と堤防１１側の側壁部２１とで断面略Ｌ字形状に構成された第１ブロック１８と、反堤防１１側の側壁部２２と天井板部２３とで断面略Ｌ字形状に構成された第２ブロック１９とで水路用コンクリートブロック１７を構成し、堤防１１側から第１ブロック１８と第２ブロック１９とで囲まれた水路の内部へ水を取り入れるための多孔質コンクリート２４の部分を側壁部２１に設ける。【選択図】  図１
2004244881.tif 000002
【特許請求の範囲】
【請求項１】
底面部と当該底面部に対して略直角な第１取水部側の側壁部とで断面略Ｌ字形状に構成された第１ブロックと、反第１取水部側の側壁部と当該反第１取水部側の側壁部に対して略直角な天井板部とで断面略Ｌ字形状に構成された第２ブロックとで構成され、第１取水部側から前記第１ブロックと前記第２ブロックとで囲まれた水路の内部へ水を流入させるための第１取水手段を前記第１取水部側の側壁部に設けたことを特徴とする水路用コンクリートブロック。
【請求項２】
前記第１取水手段として、前記第１取水部側の側壁部の一部または全部を多孔質コンクリートで形成したことを特徴とする請求項１に記載の水路用コンクリートブロック。
【請求項３】
前記第１取水手段として、前記第１取水部側の側壁部に取水孔を形成したことを特徴とする請求項１に記載の水路用コンクリートブロック。
【請求項４】
前記第１取水部側の側壁部を前記天井板部の上面よりも高い位置まで延ばして塞止部としたことを特徴とする請求項１〜３のいずれかに記載の水路用コンクリートブロック。
【請求項５】
前記塞止部の表面に模様を形成したことを特徴とする請求項４に記載の水路用コンクリートブロック。
【請求項６】
前記第１取水部側の側壁部に対して前記天井板部の開放端を支持する支持手段を設けたことを特徴とする請求項１〜５のいずれかに記載の水路用コンクリートブロック。
【請求項７】
前記支持手段として、金具を用いたことを特徴とする請求項６に記載の水路用コンクリートブロック。
【請求項８】
前記支持手段として、突出部を、前記第１取水部側の側壁部に形成したことを特徴とする請求項６に記載の水路用コンクリートブロック。
【請求項９】
前記支持手段として、前記天井板部の開放端を嵌合するための凹部を、前記第１取水部側の側壁部に形成したことを特徴とする請求項６に記載の水路用コンクリートブロック。
【請求項１０】
前記底面部に傾斜をつけるために底打ちコンクリートを形成したときに当該底打ちコンクリートと前記底面部との結合を強固にするための結合孔を形成したことを特徴とする請求項１〜９のいずれかに記載の水路用コンクリートブロック。
【請求項１１】
前記結合孔の内径寸法は、上部よりも下部を大きくしたことを特徴とする請求項１０に記載の水路用コンクリートブロック。
【請求項１２】
底面部と当該底面部に対して略直角な反第２取水部側の側壁部とで断面略Ｌ字形状に構成された第１ブロックと、第２取水部側の側壁部と当該第２取水部側の側壁部に対して略直角な天井板部とで断面略Ｌ字形状に構成された第２ブロックとで構成され、第２取水部から前記第１ブロックと前記第２ブロックとで囲まれた水路の内部へ取水するための第２取水手段を前記第２ブロックに設け、水路の内部から水を土に戻すための戻し手段を前記第１ブロックに設けたことを特徴とする水路用コンクリートブロック。
【請求項１３】
前記第２取水手段として、前記天井板部と前記第２取水部側の側壁部とのうちの少なくともいずれか一方に取水孔を形成したことを特徴とする請求項１２に記載の水路用コンクリートブロック。
【請求項１４】
前記戻し手段として、前記反第２取水部側の側壁部の一部または全部を多孔質コンクリートで形成することと前記底面部に戻し孔を設けることとのうちの少なくともいずれか一方を採用したことを特徴とする請求項１２に記載の水路用コンクリートブロック。
【請求項１５】
前記反第２取水部側の側壁部を前記天井板部の上面よりも高い位置まで延ばして塞止部としたことを特徴とする請求項１２〜１４のいずれかに記載の水路用コンクリートブロック。
【請求項１６】
前記塞止部の表面に模様を形成したことを特徴とする請求項１５に記載の水路用コンクリートブロック。
【請求項１７】
前記反第２取水部側の側壁部に対して前記天井板部の開放端を支持する支持手段を設けたことを特徴とする請求項１２〜１６のいずれかに記載の水路用コンクリートブロック。
【請求項１８】
前記支持手段として、金具を用いたことを特徴とする請求項１７に記載の水路用コンクリートブロック。
【請求項１９】
前記支持手段として、突出部を、前記反第２取水部側の側壁部に形成したことを特徴とする請求項１７に記載の水路用コンクリートブロック。
【請求項２０】
前記支持手段として、前記天井板部の開放端を嵌合するための凹部を、前記反第２取水部側の側壁部に形成したことを特徴とする請求項１７に記載の水路用コンクリートブロック。
【請求項２１】
前記天井板部の上面の高さを、第２取水部側から反第２取水部側へ向かって順次に低く設定したことを特徴とする請求項１２〜２０に記載の水路用コンクリートブロック。
【請求項２２】
請求項１〜１１のいずれかに記載の水路用コンクリートブロックを１または２以上連結して構成したことを特徴とするコンクリート水路。
【請求項２３】
請求項１２〜２１のいずれかに記載の水路用コンクリートブロックを１または２以上連結して構成したことを特徴とするコンクリート水路。
【発明の詳細な説明】
【０００１】
【発明の属する技術分野】
本発明は、水路用コンクリートブロックおよびコンクリート水路に関し、同一形状の水路用コンクリートブロックを連結することにより道路の側溝としてのコンクリート水路を形成するようにしたものである。
【０００２】
【従来の技術】
コンクリート水路を形成するための従来の水路用コンクリートブロックとしては、例えば、特許文献１がある。
【０００３】
【特許文献１】
特開平２−２６１１３９号公報（第１図）。
【０００４】
特許文献１は、図１０に示すように、同一の型枠により製造される同じ形状の一対のＬ型断面ブロック１を互いに逆の関係となるように配置し、一方のＬ型断面ブロック１における広幅面部３ｂに形成された段部９へ、他方のＬ型断面ブロック１における狭幅面部３ａを付き合わせ、４本のボルト６を介して結合したものである。そして、狭幅面部３ａに形成された開口部２のうちの一方は２枚の蓋板７で閉塞され、他方の開口部２は底打ちコンクリート８で閉塞されている。
【０００５】
【発明が解決しようとする課題】
ところが、図１１に示すように、堤防に沿って特許文献１の水路用コンクリートブロックを用いる場合を考えると、通常の状態では図に示すＬ・Ｗ・Ｌの高さであった水面が、洪水時になるとＨ・Ｗ・Ｌの高さになり、堤防１１に浸透した水を速やかに排水するためにドレーン工が採用され、堤防１１に浸透した水を速やかに排水して堤防１１の強度の低下を防止するために、堤防１１に沿って堤脚水路１２が形成されるが、以下のような問題を生じる。即ち、この堤脚水路１２として特許文献１の水路用コンクリートブロックを用いた場合は、堤脚水路１２の上から堤脚水路１２の内部へ水を流す必要があるために、堤脚水路１２よりも高い位置に、金網の袋に石を入れたじゃかご１３を設ける必要があり、じゃかご１３が露出することから見栄えが悪くなってしまう。
【０００６】
そこで本発明は、斯かる課題を解決した水路用コンクリートブロックおよびコンクリート水路を提供することを目的とする。
【０００７】
【課題を解決するための手段】
斯かる目的を達成するための請求項１に係る水路用コンクリートブロックの構成は、底面部と当該底面部に対して略直角な第１取水部側の側壁部とで断面略Ｌ字形状に構成された第１ブロックと、反第１取水部側の側壁部と当該反第１取水部側の側壁部に対して略直角な天井板部とで断面略Ｌ字形状に構成された第２ブロックとで構成され、第１取水部側から前記第１ブロックと前記第２ブロックとで囲まれた水路の内部へ水を流入させるための第１取水手段を前記第１取水部側の側壁部に設けたことを特徴とする。
【０００８】
斯かる水路用コンクリートブロックでは、第１取水部側の水が第１取水手段を介してコンクリート水路の内部に取水され、コンクリート水路に沿って流れる。
【０００９】
請求項２に係る水路用コンクリートブロックの構成は、前記第１取水手段として、前記第１取水部側の側壁部の一部または全部を多孔質コンクリートで形成したことを特徴とする。
【００１０】
斯かる水路用コンクリートブロックでは、多孔質コンクリートにおける粒子と粒子との隙間を水が流れることから、外部からの取水作用がある。そして、汚れが粒子に吸着されることから、水の浄化作用もある。
【００１１】
請求項３に係る水路用コンクリートブロックの構成は、前記第１取水手段として、前記第１取水部側の側壁部に取水孔を形成したことを特徴とする。
【００１２】
請求項４に係る水路用コンクリートブロックの構成は、前記第１取水部側の側壁部を前記天井板部の上面よりも高い位置まで延ばして塞止部としたことを特徴とする。
【００１３】
斯かる水路用コンクリートブロックでは、塞止部の存在により、第１取水部側から水路用コンクリートブロックの上へ土砂が落下するのが防止される。
【００１４】
請求項５に係る水路用コンクリートブロックの構成は、前記塞止部の表面に模様を形成したことを特徴とする。
【００１５】
斯かる水路用コンクリートブロックでは、塞止部に模様が形成されているので、美観がよい。
【００１６】
請求項６に係る水路用コンクリートブロックの構成は、前記第１取水部側の側壁部に対して前記天井板部の開放端を支持する支持手段を設けたことを特徴とする。
【００１７】
斯かる水路用コンクリートブロックでは、天井板部の開放端が支持手段によって支持されるので、天井板部に車や人が乗っても天井板部が下がることはない。
【００１８】
請求項７に係る水路用コンクリートブロックの構成は、前記支持手段として、金具を用いたことを特徴とする。
【００１９】
請求項８に係る水路用コンクリートブロックの構成は、前記支持手段として、突出部を、前記第１取水部側の側壁部に形成したことを特徴とする。
【００２０】
請求項９に係る水路用コンクリートブロックの構成は、前記支持手段として、前記天井板部の開放端を嵌合するための凹部を、前記第１取水部側の側壁部に形成したことを特徴とする。
【００２１】
請求項１０に係る水路用コンクリートブロックの構成は、前記底面部に傾斜をつけるために底打ちコンクリートを形成したときに当該底打ちコンクリートと前記底面部との結合を強固にするための結合孔を形成したことを特徴とする。
【００２２】
斯かる水路用コンクリートブロックでは、底打ちコンクリートが結合孔に入り込んで硬化するので、年月の経過によっても底打ちコンクリートが底板部から剥がれることはない。
【００２３】
請求項１１に係る水路用コンクリートブロックの構成は、前記結合孔の内径寸法は、上部よりも下部を大きくしたことを特徴とする。
【００２４】
斯かる水路用コンクリートブロックでは、底板部からの底打ちコンクリートの剥がれが、一段と強固に防止される。
【００２５】
請求項１２に係る水路用コンクリートブロックの構成は、底面部と当該底面部に対して略直角な反第２取水部側の側壁部とで断面略Ｌ字形状に構成された第１ブロックと、第２取水部側の側壁部と当該第２取水部側の側壁部に対して略直角な天井板部とで断面略Ｌ字形状に構成された第２ブロックとで構成され、２取水部から前記第１ブロックと前記第２ブロックとで囲まれた水路の内部へ取水するための第２取水手段を前記第２ブロックに設け、水路の内部から水を土に戻すための戻し手段を前記第１ブロックに設けたことを特徴とする。
【００２６】
斯かる水路用コンクリートブロックでは、第２取水部側の水が第２取水手段を介してコンクリート水路の内部に取水され、戻し手段を介してコンクリート水路の外部へ戻され、土に浸透する。
【００２７】
請求項１３に係る水路用コンクリートブロックの構成は、前記第２取水手段として、前記天井板部と前記第２取水部側の側壁部とのうちの少なくともいずれか一方に取水孔を形成したことを特徴とする。
【００２８】
請求項１４に係る水路用コンクリートブロックの構成は、前記戻し手段として、前記反第２取水部側の側壁部の一部または全部を多孔質コンクリートで形成することと前記底面部に戻し孔を設けることとのうちの少なくともいずれか一方を採用したことを特徴とする。
【００２９】
請求項１５に係る水路用コンクリートブロックの構成は、前記反第２取水部側の側壁部を前記天井板部の上面よりも高い位置まで延ばして塞止部としたことを特徴とする。
【００３０】
斯かる水路用コンクリートブロックでは、塞止部の存在により、反第２取水部側から水路用コンクリートブロックの上へ土砂が落下するのが防止される。
【００３１】
請求項１６に係る水路用コンクリートブロックの構成は、前記塞止部の表面に模様を形成したことを特徴とする。
【００３２】
斯かる水路用コンクリートブロックでは、塞止部に模様が形成されているので、美観がよい。
【００３３】
請求項１７に係る水路用コンクリートブロックの構成は、前記反第２取水部側の側壁部に対して前記天井板部の開放端を支持する支持手段を設けたことを特徴とする。
【００３４】
斯かる水路用コンクリートブロックでは、天井板部の開放端が支持手段によって支持されるので、天井板部に車や人が乗っても天井板部が下がることはない。
【００３５】
請求項１８に係る水路用コンクリートブロックの構成は、前記支持手段として、金具を用いたことを特徴とする。
【００３６】
請求項１９に係る水路用コンクリートブロックの構成は、前記支持手段として、突出部を、前記反第２取水部側の側壁部に形成したことを特徴とする。
【００３７】
請求項２０に係る水路用コンクリートブロックの構成は、前記支持手段として、前記天井板部の開放端を嵌合するための凹部を、前記反第２取水部側の側壁部に形成したことを特徴とする。
【００３８】
請求項２１に係る水路用コンクリートブロックの構成は、前記天井板部の上面の高さを、第２取水部側から反第２取水部側へ向かって順次に低く設定したことを特徴とする。
【００３９】
斯かる水路用コンクリートブロックでは、天井板部の上面における反第２取水部側に水が集められるので、水路用コンクリートブロックの内部への取水が効率よく行なわれる。
【００４０】
請求項２２に係るコンクリート水路の構成は、請求項１〜１１のいずれかに記載の水路用コンクリートブロックを１または２以上連結して構成したことを特徴とする。
【００４１】
斯かるコンクリート水路では、第１取水部側の水が第１取水手段を介してコンクリート水路の内部に取水され、コンクリート水路に沿って流れる。
【００４２】
請求項２３に係るコンクリート水路の構成は、請求項１２〜２１のいずれかに記載の水路用コンクリートブロックを１または２以上連結して構成したことを特徴とする。
【００４３】
斯かるコンクリート水路では、第２取水部側の水が第２取水手段を介してコンクリート水路の内部に取水され、戻し手段を介してコンクリート水路の外部の土へ戻される。
【００４４】
【発明の実施の形態】
以下、本発明による水路用コンクリートブロックおよびコンクリート水路の実施の形態を説明する。
【００４５】
（ａ）実施の形態１
まず、実施の形態１を図１に示し、図１の要部の詳細を図３に示す。堤防１１に沿って堤脚水路としてのコンクリート水路１４が設けられ、堤防１１の内部であってコンクリート水路１４の側面の位置には、じゃかご１５，１６が積み上げるようにして設けられている。
【００４６】
コンクリート水路１４は、水路用コンクリートブロック１７を１または２以上連結することによって構成されており、水路用コンクリートブロック１７は、第１ブロック１８と第２ブロック１９とにより構成されている。第１ブロック１８は、底面部２０と、当該底面部２０に対して略直角な堤防１１側（第１取水部側）の側壁部２１とで略Ｌ字形に形成されている。第２ブロック１９は、反堤防１１側の側壁部２２と、当該反堤防１１側の側壁部２２に対して略直角な天井板部２３とで略Ｌ字形に形成されている。
【００４７】
増水時にじゃかご１５，１６の部分に浸透してきた水を水路用コンクリートブロック１７の内部へ取り入れるために、側壁部２１の一部が多孔質コンクリート（第１取水手段）２４で形成され、その他の部分は一般的なコンクリート２５で形成されている。多孔質コンクリート２４は図２のようにコンクリートの粒子２４ａが粗いために粒子２４ａどうしの間に隙間２４ｂが形成されたものであり、隙間２４ｂを水が流れることで取水される。この多孔質コンクリート２４は、第１ブロック１８の全長に亘って設けられている。
【００４８】
第１取水手段としては、多孔質コンクリートに代えて、図４〜図６の取水孔２６〜２８を第１ブロック１８の全長に亘って複数設けてもよい。図４の取水孔２６は、楕円形の貫通孔２６ａの内部に縦横に直線状に延びるスリット２６ｃを有するかご形状のフィルタ２６ｂを装着したものである。図５の取水孔２７は、大小の２つの楕円形の貫通孔２７ａ，２７ｂを形成し、貫通孔２７ｂの内部に前記かご形状のフィルタ２６ｂと同じフィルタ２７ｃを装着したものである。図６の取水孔２８は、側壁部２１の外側から内側へ向かうにつれて内径寸法が小さくなるテーパ状の貫通孔２８ａを複数形成したものである。
【００４９】
堤防１１側の側壁部２１は、堤防１１の表面の土砂等が落下して天井板部２３の上面に堆積するのを防止するために、天井板部２３の上面よりも高い位置まで延ばされており、これによって塞止部２９が構成されている。
【００５０】
なお、美観を向上させるために、塞止部２９における反堤防１１側の表面に凹凸模様等を形成してもよい。
【００５１】
図３（ａ）において、第２ブロック１９の右側は土で埋められるため、第２ブロック１９を第１ブロック１８に結合する必要はないが、側壁部２１に当接する天井板部２３の開放端が下がらないように支持するため、本実施の形態では、Ｌ字形の金具（支持手段）３０が設けられている。金具３０の一方側はボルト３１を介して側壁部２１に結合され、他方側はボルト３１を介して天井板部２３に結合されている。
【００５２】
なお、支持手段としては、金具３０に代えて、図７に示すように側壁部２１と一体に突出部３２を形成して当該突出部３２に天井板部２３の開放端を載せたり、図８に示すように側壁部２１に凹部３３を形成して当該凹部３３に天井板部２３の開放端を嵌合したりすることもできる。
【００５３】
コンクリート水路１４の内部に流入した水がコンクリート水路１４の長さ方向に沿って流れるように、底板部２０の上面に傾斜を付けるために、底打ちコンクリート３４が設けられる。コンクリートどうしは接着等を行なっても長年のうちに剥がれることが多いので、底板部２０を貫通する結合孔３５がコンクリート水路１４の長さ方向に沿って略等間隔に複数形成され、結合孔３５に流されたコンクリート３６と底打ちコンクリート３４が一体化する。また、結合孔３５の上部の内径寸法に対して下部の内径寸法が大きくなってテーパが付いているので、コンクリート３６を上方へ抜き取ることができず、底打ちコンクリート３４の剥離防止がより強固になる。
【００５４】
図１に示すように、天井板部２３には図３（ａ）に示す段部２３ａを有する開口部２３ｂが形成されており、開口部２３ｂを塞ぐコンクリート蓋３７が設けられている。これらの水路用コンクリートブロック１７は、基礎砕石３８の上に基礎コンクリート３９を介して設置されている。
【００５５】
次に、斯かる水路用コンクリートブロックおよびコンクリート水路の作用を説明する。図１において河川の水位がＬ・Ｗ・Ｌにある状態では、コンクリート水路１４は、単に水を流す通常の水路として作用する。一方、水位が上昇してＨ・Ｗ・Ｌになった状態では、コンクリート水路１４は、単に水を流す水路としてだけでなく、堤防１１の内部に浸透した水を排出する作用も行なう。
【００５６】
即ち、図１において河川の水位が上昇すると、矢印で示すように、堤防１１の内部に浸透した水がじゃかご１６からじゃかご１５を介して河川とは反対側へ流下し、側壁部２１における多孔質コンクリート２４の部分を通過して底打ちコンクリート３４の上へ流下し、コンクリート水路１４に沿って流れる。このため、堤防１１の内部に浸透した水がコンクリート水路１４を介して排出されることになり、堤防１１の崩壊が未然に防止される。
【００５７】
（ｂ）実施の形態２
次に、実施の形態２を図９に示す。この実施の形態は、実施の形態１の水路用コンクリートブロックおよびコンクリート水路の一部を変更することによって、舗装された道路上に溜まった水を分散して土の中へ戻すように構成したものである。このため、実施の形態１と同一部分には同一符号を付して説明を省略し、異なる部分のみを説明する。
【００５８】
図９に示すように、本実施の形態は、コンクリート水路１４の右側が舗装された道路４２で、左側が単なる丘４１の場合について示すものであり、道路４２上に溜まった水をコンクリート水路１４を介して土の中へ戻すようにしたものである。
【００５９】
図９（ａ）に示すように、道路４２から天井板２３の上に流れた水をコンクリート水路１４の内部へ取り入れるために、天井板２３には３つの取水孔（第２取水手段）４３がコンクリート水路１４の長さ方向に沿って略等間隔に形成されている。また、排水性舗装内に溜まった水を、道路の端から直接にコンクリート水路１４の内部へ取り入れるために、側壁部２２の上部には斜め下方へ向かって取水孔（第２取水手段）４４がコンクリート水路１４の長さ方向に沿って略等間隔に形成されている。
【００６０】
一方、コンクリート水路１４の内部の水を土の中へ戻すために、側壁部２１の多孔質コンクリート（戻し手段）２４がそのまま用いられる。なお、その他の戻し手段として、底打ちコンクリート３４および底面部２０を貫通する戻し孔（図示せず）を形成するようにしてもよい。
【００６１】
斯かるコンクリート水路１４の作用を説明する。降雨等によって道路４２の上に水が溜まると、水は取水孔４３，４４を介してコンクリート水路１４の内部へ流れる。そして、コンクリート水路１４に沿って流れるが、水の量が多くなると、多孔質コンクリート２４からコンクリート水路１４の外部へ流出し、土の中へ戻る。
【００６２】
天井板部２３の上での集水効率を向上させるため、天井板部２３の上面を図９（ａ）の右側から左側へ向かって低くなるように設定し、取水孔４３を天井板部２３の左側に集中配置するようにしてもよい。
【００６３】
その他の構成，作用については、戻し手段として図４〜６の構成を用いたこと、塞止部２９を設けること、塞止部２９に模様を設けること、天井板部２３を支持する支持手段として金具３０や突出部３２や凹部３３を設けること、等は実施の形態１と同じなので、説明を省略する。
【００６４】
なお、実施の形態１では第１取水部を堤防とし、実施の形態２では第２取水部を道路としたが、堤防や道路に限らず、コンクリート水路の内部へ取水するための場所であれば堤防や道路に限定されるものではない。また、第１取水部を堤防とした実施の形態１と第２取水部を道路とした実施の形態２とを別々に示したがコンクリート水路の一方側に堤防があり、他方側に道路がある場所で単一のコンクリート水路を設けて前記の２つの機能を持たせることができる。
【００６５】
【発明の効果】
以上の説明からわかるように、請求項１に係る水路用コンクリートブロックおよび請求項２２に係るコンクリート水路によれば、第１ブロックに第１取水手段を設けたので、第１取水部側の水を第１取水手段を介してコンクリート水路の内部へ取り込んで排出させることができる。
【００６６】
また、請求項１２に係る水路用コンクリートブロックおよび請求項２３に係るコンクリート水路によれば、第２ブロックに第２取水手段を設け、かつ戻し手段を設けたので、第２取水部側の水を第２取水手段を介してコンクリート水路の内部へ取り込み、その後に戻し手段を介して土の中に戻すことができる。
【図面の簡単な説明】
【図１】本発明による水路用コンクリートブロックおよびコンクリート水路の実施の形態１を示す斜視図。
【図２】多孔質コンクリートの詳細を示す拡大図。
【図３】本発明による水路用コンクリートブロックおよびコンクリート水路の実施の形態１に係り、（ａ）は構成図、（ｂ）は（ａ）のＡ−Ａ矢視図。
【図４】取水孔の実施例に係り、（ａ）は正面図、（ｂ）は断面図。
【図５】取水孔の実施例に係り、（ａ）は正面図、（ｂ）は断面図。
【図６】取水孔の実施例に係り、（ａ）は正面図、（ｂ）は断面図。
【図７】支持手段の他の実施例を示す構成図。
【図８】支持手段の他の実施例を示す構成図。
【図９】本発明による水路用コンクリートブロックおよびコンクリート水路の実施の形態２に係り、（ａ）は構成図、（ｂ）は（ａ）のＢ−Ｂ矢視図。
【図１０】従来の水路用コンクリートブロックの斜視図。
【図１１】従来の水路用コンクリートブロックを堤脚水路として用いた場合の斜視図。
【符号の説明】
１４…コンクリート水路
１７…水路用コンクリートブロック
１８…第１ブロック
１９…第２ブロック
２０…底板部
２１，２２…側壁部
２３…天井板部
２４…多孔質コンクリート
２９…塞止部
【図１】
2004244881.tif 000003
【図２】
2004244881.tif 000004
【図３】
2004244881.tif 000005
【図４】
2004244881.tif 000006
【図５】
2004244881.tif 000007
【図６】
2004244881.tif 000008
【図７】
2004244881.tif 000009
【図８】
2004244881.tif 000010
【図９】
2004244881.tif 000011
【図１０】
2004244881.tif 000012
【図１１】
2004244881.tif 000013